(57)【要約】【課題】生産者名などを表示したリングをパイナップルに装着する技術に関し、表面状態の悪いパイナップルに容易にかつ安価に表示を可能とする。【解決手段】成長過程のパイナップルとその頂頭葉との間の首部にリングを嵌挿しておき、その後のパイナップルと頂頭葉の成長によって、リングが首部から離脱不能な状態にする。前記のリングには生産者名などを表示する。【選択図】図３
2004045468.tif 000002
【特許請求の範囲】
【請求項１】
成長過程のパイナップルとその頂頭葉との間の首部にリングを嵌挿しておき、その後のパイナップルと頂頭葉の成長によって、リングが首部から離脱不能な状態にすることを特徴とするパイナップルにリングを装着する方法。
【請求項２】
パイナップルの成長過程で頂頭葉との間の首部に装着されたリングが、その後のパイナップルと頂頭葉の成長によって、首部から離脱不能な状態になっていることを特徴とするリング付きパイナップル。
【請求項３】
前記のリングに生産者名などの表示が行われていることを特徴とする請求項２に記載のリング付きパイナップル。
【発明の詳細な説明】
【０００１】
【産業上の利用分野】
本発明は、生産者名などを表示したリングをパイナップルに装着する技術に関する。
【０００２】
【従来の技術と発明が解決しようとする課題】
リンゴその他の果実は、包装箱に梱包された状態で小売りの販売店に届けられるが、販売の際には、梱包を解いてばらの状態で店頭に並ぶ。したがって、消費者にとっては、そのリンゴがどこの産地で生産されたものか、また誰が生産したものか全く不明である。
【０００３】これに対し、生産者の責任を明らかにするためには、それぞれのリンゴに産地や生産者名が表示されていると、消費者は安心して購入し、消費できる。また、生産者にとっては、自分の氏名が表示されると、他者の生産品との差別化のためにも、品質の向上に努めるといった効果も期待できる。
【０００４】産地直送の米などの場合は、生産者を明らかにするために、生産者名を表示して消費者に届けるようなシステムが普及してきている。しかしながら、米を運搬する包装袋などに表示せざるを得ず、米自体に表示することはできない。したがって、生産者名を表示した袋と中身が入れ替わったりする恐れもあり、正確な生産者表示を確保することは困難である。
【０００５】特に、近年のように、輸入牛肉に国内産であるかのような虚偽表示をすることが各地で横行するようになると、表示自体の信頼性が低下し、意味がなくなるので、表示替えが不可能な手法が必要となる。
【０００６】これに対し、果実の場合は、リンゴなどの果実自体に生産地などを表示することは可能である。例えば、ほぼ成長した果実の表面に、文字などを切り抜いた紙片を貼りつけておき、太陽光の当たる部分と蔭になる部分とによって文字などの表示をすることは、例えば実開平３−１０７４８号公報などで知られているが、細かい表示が不可能であり、しかも作業が面倒で、コスト高になるという問題がある。また、天候によっては、鮮明な表示が困難になる場合もある。
【０００７】さらに、リンゴなどのように表面がなめらかな果実の場合は、紙片やラベルなどを貼ることができるが、パイナップルのように表面が不均一な果実の場合は、適用不可能である。
【０００８】本発明の技術的課題は、このような問題に着目し、表面状態の悪いパイナップルに容易にかつ安価に表示を可能とすることにある。すなわち、パイナップル自体に直接表示することは不可能であるので、表示可能なリングをパイナップルに離脱不能に装着することによって、間接的に表示を可能にする。
【０００９】
【課題を解決するための手段】
本発明の技術的課題は次のような手段によって解決される。請求項１は、成長過程のパイナップルとその頂頭葉との間の首部にリングを嵌挿しておき、その後のパイナップルと頂頭葉の成長によって、リングが首部から離脱不能な状態にすることを特徴とするパイナップルにリングを装着する方法である。
【００１０】このように、成長過程の小さなパイナップルとその小さな頂頭葉との間の首部に予めリングを嵌挿しておくと、その後、パイナップル自体や頂頭葉が成長して大きくなり、収穫できる時点では、頂頭葉のサイズがリングの内径より充分に大きくなっているので、リングが離脱不能な状態となる。
【００１１】したがって、リングに生産者名などを表示しておけば、そのパイナップルと生産者名などとは不離一体となり、表示のすり替えは不可能となるので、正確な表示を担保できる。また、パイナップルの成長過程で、サイズの小さな頂頭葉の葉先からリングを嵌挿しておくだけでよいので、面倒な作業は必要とせず、容易にかつ安価に実現できる。
【００１２】請求項２は、請求項１のような方法で生産されたパイナップルであり、パイナップルの成長過程で頂頭葉との間の首部に装着されたリングが、その後のパイナップルと頂頭葉の成長によって、首部から離脱不能な状態になっていることを特徴とするリング付きパイナップルである。
【００１３】このように、パイナップルの成長過程の幼果の首部にリングが嵌挿され、その後のパイナップルと頂頭葉の成長によって頂頭葉のサイズが大きくなり、リングが首部から離脱不能な状態のリング付きパイナップルは、パイナップルが成長してサイズが大きくなることによって、リングがパイナップルから離脱不能な状態となっている。その結果、消費者に届くまでにリングが抜けて、すり替わってしまうといった問題が防げる。
【００１４】さらに、生産者名などをパイナップル自体には表示不可能であり、リングに表示するので、りんごなどのように表面が均一でないにも係わらず、間接的ではあるが、確実に表示可能となり、また細かい文字や模様でも鮮明に表示できる。
【００１５】請求項３は、請求項２に記載のリングに生産者名などの表示が行われていることを特徴とするリング付きパイナップルである。表示は、生産者名に限らず、生産地や品種など、何でもよい。このように、パイナップルに装着したリングに生産者名などの表示が行われているため、そのリングによって、そのパイナップルの生産者や生産地、品種などを容易に確認でき、安心して消費できる。
【００１６】
【発明の実施の形態】
次に本発明によるリング付きパイナップルとパイナップルにリングを装着する方法が実際上どのように具体化されるか実施形態を説明する。図１はパイナップルに装着するリングＲの斜視図であり、材質は、金属や合成樹脂、ガラス、陶磁器などのように丈夫で水に濡れても破損したり劣化しない材料が適している。
【００１７】リングＲの直径は、装着されるパイナップルの種類やサイズによって多少異なるが、例えば３〜６ｃｍ程度が考えられる。高さＨも任意であるが、例えば０．５〜２ｃｍ程度が適している。厚さｔも任意であり、材質にもよるが、例えば１〜１０ｍｍ程度が適している。
【００１８】そして、このリングＲの表面に、装着されるパイナップルの産地名や生産者名、販売会社名、品種、銘柄などを表示する。この表示は、パイナップルに装着する前に、予め表示しておいてもよいし、リング付きのパイナップルを収穫し、出荷する前に、リングに表示してもよいし、表示の時期は任意である。また、リングの表面に限らず、内面にも表示できる。内面に表示する場合は、パイナップルに装着する前に表示することはもちろんである。
【００１９】図２はこのリングＲをパイナップルｐに装着した状態の斜視図である。このパイナップルｐは、成長過程のサイズの小さな幼果であり、頂頭葉Ｌのサイズも小さい。このように、成長過程で未成熟のパイナップルｐの頂頭葉Ｌの上端からリングＲを装着する。頂頭葉Ｌの各葉の先端が拡がっているが、全体を包んで径を小さくした状態で挿入すると、容易に嵌挿できる。一旦装着した後は、意識的に引き抜かない限り、リングＲが自然に頂頭葉Ｌを越えて離脱することはない。
【００２０】したがって、未成熟のパイナップルｐの頂頭葉Ｌの直径ＤよりもリングＲの直径が大きいと、リングＲは頂頭葉Ｌを越えて離脱してしまうので、リングＲの直径は、頂頭葉Ｌの直径Ｄより多少小さいことが必要である。また、前記のように頂頭葉Ｌの各葉の先端が拡がっているので、リングＲの径より頂端葉Ｌの径Ｄが多少大きいのが普通である。なお、成長過程のパイナップルｐの胴部の直径よりもリングＲの径が小さいことは当然である。
【００２１】つまり、リングＲの内径は、成長過程のパイナップルｐの首部より多少大きめ、正確には図３のような成熟時の首部の径と同程度が適している。その結果、このリングＲを、パイナップル幼果ｐの頂端葉Ｌの上端から挿入して、首部に嵌めておくと、パイナップルｐや頂頭葉Ｌが成長することによって、収穫時には図３のようになる。
【００２２】すなわち、リングＲのサイズは一定であるのに対し、パイナップルｐや頂頭葉Ｌの方は成長と共にサイズが大きくなるので、リングＲが、成長した頂頭葉Ｌより相対的に小さくなった状態となる。したがって、この状態で収穫し出荷すると、リングＲが、成熟したパイナップルＰの頂頭葉Ｌを越えて離脱する恐れはない。
【００２３】そして、このリングＲには、前記のように、産地名や生産者名、銘柄などが表示されているので、消費者は各パイナップルＰ自体の産地や生産者などを確認し、安心して消費できる。つまり、頂端葉Ｌが付いたまま販売され、最終消費者の手に渡るので、最終消費者が表示を確認してから、首部を切ってリングＲを外すことになる。
【００２４】途中でこのリングＲを無理に外して、他のリングと交換しようとしても、頂頭葉Ｌが充分大きなサイズに成長しているので、表示リングＲを離脱してすり替えることは不可能となり、表示の信頼性が確保できる。
【００２５】また、パイナップルＰ自体でなく、リングＲに表示するので、文字や模様などの細かい表示も容易である。このようなリングＲをパイナップルの成長過程、すなわち未熟な幼果の時点で、小さな頂頭葉の葉先から嵌め込んでおくだけでよいので、作業は容易であり、生産コストも低廉となる。
【００２６】図４は、マンゴーＭに装着した例である。マンゴーの場合も、鎖線ｍで示すように果実が未成熟の時点で、表示用の十字状バンドＢを嵌めておけば、実線Ｍで示すようにマンゴーが成熟して大きくなると、離脱不能となる。
【００２７】十字状バンドＢは、２本のリングを縦横にクロスさせた状態で一体化させた形状をしている。その結果、表裏両側で十字状の交差部ができるが、鎖線のような幼果のマンゴーｍを十字状バンドＢの隙間から挿入して、脱落しないように粘着テープなどで仮止めしておく。
【００２８】マンゴーが充分に成長して出荷する時点では、成熟し大きくなったマンゴーＭが十字状バンドＢの隙間から離脱する恐れはなく、確実に装着された状態となる。したがって、十字状バンドＢに、マンゴーの産地名や生産者名、品種、銘柄、販売会社名などを表示しておくと、パイナップルにリングを装着した場合と同様な目的を達成できる。
【００２９】
【発明の効果】
請求項１のように、成長過程の小さなパイナップルとその小さな頂頭葉との間の首部に予めリングを嵌挿しておくと、その後、パイナップル自体や頂頭葉が成長して大きくなり、収穫できる時点では、頂頭葉のサイズがリングの内径より充分に大きくなっているので、リングが離脱不能な状態となる。
【００３０】したがって、リングに生産者名などを表示しておけば、そのパイナップルと生産者名などとは不離一体となり、表示のすり替えは不可能となるので、正確な表示を担保できる。また、パイナップルの成長過程で、サイズの小さな頂頭葉の葉先からリングを嵌挿しておくだけでよいので、面倒な作業は必要とせず、容易にかつ安価に実現できる。
【００３１】請求項２のように、パイナップルの成長過程の幼果の首部にリングが嵌挿され、その後のパイナップルと頂頭葉の成長によって頂頭葉のサイズが大きくなり、リングが首部から離脱不能な状態のリング付きパイナップルは、パイナップルが成長してサイズが大きくなることによって、リングがパイナップルから離脱不能な状態となっている。その結果、消費者に届くまでにリングが抜けて、すり替わってしまうといった問題が防げる。
【００３２】さらに、生産者名などをパイナップル自体には表示不可能であり、リングに表示するので、りんごなどのように表面が均一でないにも係わらず、間接的ではあるが、確実に表示可能となり、また細かい文字や模様でも鮮明に表示できる。
【００３３】請求項３のように、パイナップルに装着したリングに生産者名などの表示が行われているため、そのリングによって、そのパイナップルの生産者や生産地、品種などを容易に確認でき、安心して消費できる。
【図面の簡単な説明】
【図１】パイナップルに装着するリングの斜視図である。
【図２】リングを未成熟のパイナップルに嵌挿した状態の斜視図である。
【図３】リングを嵌挿したパイナップルが成熟した状態の斜視図である。
【図４】十字状バンドを装着したマンゴーが成熟した状態の斜視図である。
【符号の説明】
Ｒ　表示用のリング
ｐ　成長過程の小さなパイナップル
Ｐ　成熟した、サイズの大きなパイナップル
Ｌ　パイナップルの頂頭葉
Ｍ　成熟したマンゴー
【図１】
2004045468.tif 000003
【図２】
2004045468.tif 000004
【図３】
2004045468.tif 000005
【図４】
2004045468.tif 000006